(57)【要約】 【課題】日傘であって、銀杏型に広げた傘幅が人の顔を覆う程度に狭く、人ごみの中においても回りに気兼ねなく差して紫外線をカットでき、彎曲板バネの作用で傘布の展開、巻き込みが容易に行えるとともに傘柄に設けた自在継ぎ手（ユニバーサルジョイント）部分で傘布の方向転換ができ、軽量で仕舞い寸法も短く小型な傘を提供する。【解決手段】ぜんまい状に密着巻癖が付けられ、力を加えると真っ直ぐに伸びる彎曲板バネを、それぞれ独立した扇形布傘の中心線に沿った内側に真っ直ぐな状態で縦に取り付け、このバネの伸長、巻き込み作用で傘布の展開、巻き込みが素早く行え、傘の柄に設けた自在継ぎ手部分により柄の方向を自由に変えることができ、巻き込んだ傘布部分を柄とほぼ平行に沿わせて小さく仕舞い込むことができるものである。【選択図】  図１
2011125519.tif 000002
【特許請求の範囲】
【請求項１】
銀杏型に広がる日傘であって、この日傘は棒状の柄と、柄の先端部に水平方向への移動が可能に設けられた複数本の短冊状傘骨と、各傘骨に取り付けられた扇型傘布とを備えていて、
複数本の短冊状傘骨はぜんまい状に密着巻癖が付けられ、力を加えると真っ直ぐに伸びる彎曲板バネからなり、その各一端部にあけられた孔を重ねてこれに柄を貫通させるとともに骨の下側は下受け座で、上側は上受け座でそれぞれ支持され、それぞれの傘骨には扇型傘布の中心線部分が取り付けられていて、
各傘骨を真っ直ぐに伸ばし水平方向へ移動させて銀杏型に広げた際、各扇型傘布はその一部が重なり合って銀杏型の傘布を形成し、下受け座の下側の柄部分にはあらゆる方向に折り曲げが可能な自在継ぎ手と、この継ぎ手の外側にはまって継ぎ手が柄と一直線を形成するよう固定保持する上下動可能な筒体を備え、
柄先端に取り付けた石突で上受け座は柄に固定されていて、
複数本の傘骨は傘使用時に骨を移動させて銀杏型に広げ、傘不使用時にはその全てを重ね合わせてぜんまい状に丸めることができる日傘。
【請求項２】
短冊状傘骨は、扇の要をなす柄貫通孔部から扇型傘布の中心線に沿って傘布先端近傍まで傘布に取り付けられ、傘骨先端部分には傘布を扇型に保つ弓形のワイヤーが取り付けられている請求項１記載の日傘。
【請求項３】
各傘布先端部分には扇型の傘布と一体に垂れ幕片が設けられている請求項２記載の日傘
【発明の詳細な説明】
【技術分野】
【０００１】
本発明は、銀杏型に広がって顔の前にかざすことで顔を紫外線から守ることができ、特に日中の外出時、人ごみの中においても差すことのできる日傘に関する。
【背景技術】
【０００２】
これまでの日傘は、雨傘と同じくほぼ円形に開いた傘布部分は大きく、大勢人の集まる所での使用は周りの人に迷惑がかかることが多かった。又不使用時の仕舞い寸法も通常の傘同様に長く、携帯には嵩張るものであった。また紫外線対策として傘布がＵＶカット加工された日傘も生産され販売されているが、その仕舞い寸法は通常の傘と変わらず、携帯には不向きであった。
【先行技術文献】
【特許文献】
【０００３】
【特許文献１】特開２００６−２４７１４９
【発明の概要】
【発明が解決しようとする課題】
【０００４】
この発明は、傘布が銀杏型に広がり、顔の前にかざして顔を紫外線から守る程度の大きさの日傘であり、人ごみの中においても他人に迷惑をかけることなく使用することができ、日傘の不使用時には傘布を扇子のように重ねて渦巻き状に丸め、柄と共にまとめて収納することができる携帯に便利な、コンパクトな日傘を提供するものである。
またこの発明は日傘のコンパクト化のため、扇形の傘布は複数枚がそれぞれ独立して傘骨に取り付けられ、各傘布の一部が重なり合って銀杏型に広がり、これを顔の前にかざした状態での傘布全体の開きの最大幅を４５から５０ｃｍと、小型にしたものである。
【課題を解決するための手段】
【０００５】
この発明の銀杏型に広がる日傘は、ぜんまい状に密着巻癖が付けられ、力を加えると真っ直ぐに伸びる彎曲板バネを短冊状傘骨として複数本用意し、各傘骨は扇型傘布の中心線に沿ってその内側に縦方向に内蔵されていることが特徴であり、各傘骨の一端部には孔があけられていて、すべての孔を重ねた部分に柄を貫通させ要とし、骨の下側は下受け座で、上側は上受け座でそれぞれ支持し、水平方向へ移動可能に取り付けられている。そして骨を水平方向に動かし銀杏型に広げた際、各扇型傘布はその一部が重なりあって、全体としては銀杏型の傘布を形成するものである。さらに下受け座の下側の柄部分にはあらゆる方向に折り曲げが可能な自在継ぎ手（ユニバーサルジョイント）が設けられるとともにこの継ぎ手の外側にはまって継ぎ手が柄と一直線を形成するよう固定保持する上下動可能な筒体を備え、柄先端に取り付けた石突で上受け座を柄に固定したものである。
【０００６】
又傘本体の不使用時には、傘骨を動かして扇子のように全て重ね合わせ、傘骨に軽い衝撃を与えることでぜんまい状に密着巻癖の作用で扇型傘布全部がいちどきにぜんまい状に丸められる。
【０００７】
日傘の本来的な目的である日除けの点から、傘部分に当たるそれぞれ独立した複数の扇型傘布は、骨を動かし銀杏型に広げて顔の前にかざした状態での開きの最大幅は45から50ｃｍとし、扇型傘布部分の長さは先端から要までおよそ３０ｃｍとし、差しても他人の邪魔にならないサイズとした。扇型傘布部分の先端から5ｃｍ〜7ｃｍ内側に入った布部分は垂れ下がり日よけの助けとなる。傘部分の先端から内側に5ｃｍ〜7ｃｍ入った傘布部分の垂れ布のところから扇型傘布の内側に縦方向に巾２．８ｃｍ〜３ｃｍの密着巻癖が付けられた彎曲板バネを内蔵するための当て布を円筒状に２３ｃｍ設け、扇型傘布の中心線部分に縫いつける。要の部分で扇型傘布に内蔵された密着巻癖がつけられた彎曲板バネをそれぞれ重ねて直径６ｍｍ〜1ｃｍの孔を開けてこれに柄を通し、バネの上下両方を上受け座と下受け座で支持して取り付ける。柄の直径は約1ｃｍ、長さは最長２５ｃｍ〜３０ｃｍと短くして不使用時、柄は1段、2段と短く組み込み短縮させ、丸めた扇形布傘部分と共に小さく仕舞い込むことができるようにした。
【発明の効果】
【０００８】
以上のようにこの発明の日傘は、銀杏型に広げた傘幅が人の顔を覆う程度にせまいため、人ごみの中においても周りに気兼ねなく差して紫外線をカットでき、女性にとって行き先により髪の乱れが気になり帽子等の使用ができない場合にも便利である。さらに柄に設けた自在継ぎ手部分で重ねた骨および傘布を３６０°の範囲で動かして方向転換ができ、継ぎ手部分で折り曲げもできるので丸めた傘布を柄にほぼ平行に沿わせ、仕舞い寸法を小型コンパクトにして携帯に便利な日傘を提供することができる。
【図面の簡単な説明】
【０００９】
【図１】本発明の日傘を広げて差した状態の斜視図である。
【図２】同日傘の広げ始めの状態を示す斜視図である。
【図３】同日傘を収納するため傘骨を全て重ねて畳んだ扇状とした図である。
【図４】同日傘をコンパクトに収納するため傘骨を丸め、傘布を一まとめした図である。
【図５】本発明の別な実施例での日傘を広げて差した状態の図である。
【図６】同さらに別な実施例での日傘を広げて差した状態の図である。
【発明を実施するための形態】
【００１０】
この発明の日傘の扇型傘布部分の素材は、ポリエステル、木綿、シルクおよび紫外線カット加工したポリエステルカーテン地であり、好ましくは少し厚手で張り（剛さ）のある素地を用いるとよい。柄はアルミニウムまたはプラスチックで短い中空パイプを構成し易いものがよく、柄の先端近くに取り付ける自在継ぎ手、上下の受け座の材質は金属、プラスチックが成形性および軽量化の点で好ましい。
さらに傘骨は、金属製でぜんまい状に密着巻癖が付けられ、力を加えると真っ直ぐに伸びる彎曲板バネを浅い樋状に加工したものが好ましい。以下その実施例を図面と共にさらに詳しく説明する。
【実施例１】
【００１１】
図1は、この発明の日傘を広げた状態の斜視図であり、図２の広げ始めの状態から傘骨を水平方向に動かして複数枚の扇型傘布が一部重なるように広げる。図中1はそれぞれ独立した複数枚の扇型傘布を示し、2は傘骨であり、これは金属製でぜんまい状に密着巻癖が付けられ、力を加えると真っ直ぐに伸びる彎曲板バネを浅い樋状に加工したものである。3は傘骨を内蔵する円筒状の当て布袋で、扇型傘布の裏側に傘布の中心線に沿って縫い付けられている。4は傘骨の要部分であり、複数本の骨の各一端部にあけた孔を重ねてここに柄５を貫通させている。要４の直下には骨を支持する円盤状の下受け座６とその下側に柄を折り曲げることができる自在継ぎ手７が設けられている。８は要の上側に設けた円盤状の上受け座であり、９は上受け座が柄の先端から外れないよう柄に固定する石突である。
【００１２】
この日傘の傘部分は、傘骨２に力を加えて真っ直ぐに伸ばし上下の受け座８，７間で水平方向に動かして複数枚の扇型傘布が一部重なる状態に広げると、図に示すように銀杏型を作る。扇型傘布は複数枚用いるが、例えば５枚の扇型傘布を取り付けた場合には、１枚の扇型傘布のサイズは長さ約３０ｃｍ、円弧状周縁部の長さ約１０ｃｍ、要部分の幅約４ｃｍとして傘布の重なり部を含めて開き角度約９０°の銀杏型とした。
扇型傘布の中心線に沿った裏側には、幅約２．５ｃｍ、長さ約２５ｃｍの傘骨２を入れるための幅２．８〜３ｃｍ、長さ約２６ｃｍの円筒状の当て布袋３を、傘布周縁近傍から要まで縫い付けている。
【００１３】
各傘骨の一端部には直径約8ｍｍの孔があけられており、全ての孔を重ねてここに柄５の細くした部分を通し、重なった各傘骨の上下両方を上受け座８と下受け座６で支持して傘骨のバネ弾力をきかせて取り付ける。傘骨を通す部分を除いて柄５の直径は約1ｃｍ、長さは最長25ｃｍ〜30ｃｍとした。下受け座６の下側の柄５部分には、図３で示す自在継ぎ手７が組み込まれていて、その継ぎ手部分は折り曲げと３６０°の回転が可能になっている。この継ぎ手の外側には上下動可能な筒体（図示せず）が常に上向きに弾力が働くように取り付けられ、通常はこの筒体が継ぎ手の外側にはまって継ぎ手が柄と一直線を形成するよう固定保持していて、継ぎ手を真っ直ぐでかつ回らない状態に保っている。柄先端に取り付けた石突９は上受け座を柄に固定したものであり、この石突９で傘骨部分は柄５の先端部分に外れることなく取り付けられる。
【００１４】
日傘の不使用時、柄５は1段、2段と短く組み込み短縮させ、図３に示すように全ての傘骨を重ね合わせ、閉じた扇状にする。ついで全ての傘骨に力を加えてぜんまい状に骨を丸め、同時に重なった扇形布傘部分全ても丸めて小さく仕舞い込むことができるようにした。
【００１５】
また、日傘不使用時の扇型傘布の巻き込みは、要に向かって外向きで巻かれることにより突風などアクシデントに対して扇型傘布が顔にかかることの無いよう安全を確保した。
【実施例２】
【００１６】
日傘の傘部分は、図５に示すように、独立した扇型傘布のそれぞれに取り付けた傘骨２の先端部分に、7〜8ｃｍの長さのワイヤー１０を取り付け、傘布が扇型の広がりを保つようにして日除け効果を高めた。
【実施例３】
【００１７】
図６に示すように、日傘の傘部分は銀杏型に広げた傘の各傘骨２の先端部分から前方に３〜５ｃｍ程度離れた傘布部分に実施例２と同じワイヤー１０を取り付け、ワイヤーの前方の傘布を垂れ幕片として下方にたらし、日除け効果をより一層高めた。  
【産業上の利用可能性】
【００１８】
この発明の日傘は、銀杏型に広げて顔の前にかざし、厳しい紫外線から顔部分を守るための日傘であり、銀杏型の開きの最大幅は４５から５０ｃｍとしたので人ごみの中においても気兼ねなく使用できる。また柄に設けた自在継ぎ手により傘柄の方向転換が自由にでき、傘不使用時は仕舞い寸法も小型で軽量のため携帯するのに便利なものである。
【符号の説明】
【００１９】
1    扇型傘布
2    傘骨
3    円筒状の当て布袋
4    要  
５   柄
６  下受け座
７  自在継ぎ手  
８  上受け座
９  石突
１０  ワイヤー  
【図１】
2011125519.tif 000003
【図２】
2011125519.tif 000004
【図３】
2011125519.tif 000005
【図４】
2011125519.tif 000006
【図５】
2011125519.tif 000007
【図６】
2011125519.tif 000008